(57)【要約】【課題】  音響効果に優れ且つ合理的に構成された振動音発生装置を提供すること。【解決手段】  振動音の発生源となる振動音発生手段２００と、振動音発生手段を装着した振動板３００と、振動板を装着するケース部材４００とを備え、振動板及びケース部材は、振動音の発生に伴い振動し、振動板及びケース部材にて囲まれた空間は、振動音を共鳴させる共鳴空間Ｂとし、ケース部材には、共鳴空間の内部において振動板と対向する板状の対向部位４０１を設け、振動音の発生に伴い対向部位が振動することにより、当該装置の音響効果が向上するようにした。また、振動音発生手段は、小型ケース２１０の内部に所定の部材を設けてなり、振動板に対して小型ケース単位で着脱可能とし、小型ケースの内部空間は、振動音を共鳴させる小共鳴空間Ａとした。【選択図】図１
2007322556.tif 000002
【特許請求の範囲】
【請求項１】
振動音の発生源となる振動音発生手段と、前記振動音発生手段を装着した振動板と、前記振動板を装着するケース部材とを備え、
前記振動板及び前記ケース部材は、前記振動音の発生に伴い振動し、
前記振動板及び前記ケース部材にて囲まれた空間は、前記振動音を共鳴させる共鳴空間とし、
前記振動音発生手段は、小型ケースの内部に所定の部材を設けてなり、前記振動板に対して前記小型ケース単位で着脱可能とし、
前記小型ケースの内部空間は、前記振動音を共鳴させる小共鳴空間としたことを特徴とする振動音発生装置。
【請求項２】
振動音の発生源となる振動音発生手段と、前記振動音発生手段を装着した振動板と、前記振動板を装着するケース部材とを備え、
前記振動板及び前記ケース部材は、前記振動音の発生に伴い振動し、
前記振動板及び前記ケース部材にて囲まれた空間は、前記振動音を共鳴させる共鳴空間とし、
前記ケース部材には、前記共鳴空間の内部において前記振動板と対向する板状の対向部位を設け、
前記振動音の発生に伴い前記対向部位が振動することにより、当該装置の音響効果が向上するようにしたことを特徴とする振動音発生装置。
【請求項３】
振動音の発生源となる振動音発生手段と、前記振動音発生手段を装着した振動板と、台座板と、前記振動板及び前記台座板を装着するケース部材とを備え、
前記振動板、前記台座板、及び前記ケース部材は、前記振動音の発生に伴い振動し、
前記振動板、前記台座板、及び前記ケース部材にて囲まれた空間は、前記振動音を共鳴させる共鳴空間とし、
前記ケース部材には、前記共鳴空間の内部において前記振動板と対向する板状の第１対向部位と、前記共鳴空間の内部において前記台座板と対向する板状の第２対向部位とを設け、
前記振動音の発生に伴い前記第１対向部位及び前記第２対向部位が振動することにより、当該装置の音響効果が向上するようにしたことを特徴とする振動音発生装置。
【請求項４】
前記振動音発生手段は、小型ケースの内部に所定の部材を設けてなり、前記振動板に対して前記小型ケース単位で着脱可能とし、
前記小型ケースの内部空間は、前記振動音を共鳴させる小共鳴空間としたことを特徴とする請求項２又は３記載の振動音発生装置。
【発明の詳細な説明】
【技術分野】
【０００１】
本発明は、振動音を発生させる装置に関する。
【背景技術】
【０００２】
一般に、オルゴール等の振動音発生装置は、発生する振動音を増幅するための構成が重要とされている。振動音を増幅する手段としては、振動音の発生に伴い振動する振動板や、振動音に共鳴する共鳴空間を設ける構成が知られている。特許文献１及び４には、この種の装置が開示されている。
【特許文献１】特開２００１−１０９４６７号公報
【特許文献２】特開２００３−１７３１８２号公報
【特許文献３】特開２００４−１３０９２号公報
【特許文献４】特開２００５−６２３９０号公報
【発明の開示】
【発明が解決しようとする課題】
【０００３】
さて近年、振動音発生装置の機能やデザインは、ますます多様化される傾向にあり、振動板や共鳴空間については、有効スペースを十分に活用すべく更なる構造的工夫が必要とされている。本発明は、かかる事情に鑑みてなされたものであり、その目的は、音響効果に優れ且つ合理的に構成された振動音発生装置を提供することである。
【課題を解決するための手段】
【０００４】
本願第１請求項に記載した発明は、振動音の発生源となる振動音発生手段と、前記振動音発生手段を装着した振動板と、前記振動板を装着するケース部材とを備え、前記振動板及び前記ケース部材は、前記振動音の発生に伴い振動し、前記振動板及び前記ケース部材にて囲まれた空間は、前記振動音を共鳴させる共鳴空間とし、前記振動音発生手段は、小型ケースの内部に所定の部材を設けてなり、前記振動板に対して前記小型ケース単位で着脱可能とし、前記小型ケースの内部空間は、前記振動音を共鳴させる小共鳴空間とした構成の振動音発生装置である。
【０００５】
本願第２請求項に記載した発明は、振動音の発生源となる振動音発生手段と、前記振動音発生手段を装着した振動板と、前記振動板を装着するケース部材とを備え、前記振動板及び前記ケース部材は、前記振動音の発生に伴い振動し、前記振動板及び前記ケース部材にて囲まれた空間は、前記振動音を共鳴させる共鳴空間とし、前記ケース部材には、前記共鳴空間の内部において前記振動板と対向する板状の対向部位を設け、前記振動音の発生に伴い前記対向部位が振動することにより、当該装置の音響効果が向上するようにした構成の振動音発生装置である。
【０００６】
本願第３請求項に記載した発明は、振動音の発生源となる振動音発生手段と、前記振動音発生手段を装着した振動板と、台座板と、前記振動板及び前記台座板を装着するケース部材とを備え、前記振動板、前記台座板、及び前記ケース部材は、前記振動音の発生に伴い振動し、前記振動板、前記台座板、及び前記ケース部材にて囲まれた空間は、前記振動音を共鳴させる共鳴空間とし、前記ケース部材には、前記共鳴空間の内部において前記振動板と対向する板状の第１対向部位と、前記共鳴空間の内部において前記台座板と対向する板状の第２対向部位とを設け、前記振動音の発生に伴い前記第１対向部位及び前記第２対向部位が振動することにより、当該装置の音響効果が向上するようにした構成の振動音発生装置である。
【０００７】
本願第４請求項に記載した発明は、請求項２又は３において、前記振動音発生手段は、小型ケースの内部に所定の部材を設けてなり、前記振動板に対して前記小型ケース単位で着脱可能とし、前記小型ケースの内部空間は、前記振動音を共鳴させる小共鳴空間とした構成の振動音発生装置である。
【発明の効果】
【０００８】
本発明によれば、音響効果に優れ且つ合理的に構成された振動音発生装置を得ることができる。
【発明を実施するための最良の形態】
【０００９】
以下に、本発明の実施例を図面に基づいて説明する。図１乃至図４に示す振動音発生装置１は、時計機能を設けてなる壁掛けタイプのオルゴールである。この振動音発生装置１は、振動音の発生源となる振動音発生手段２００と、振動音発生手段２００を装着した振動板３００と、振動板３００を装着するケース部材４００とを備えている。振動板３００は、厚さ５．０〜１０．０ｍｍ程度の木製又は樹脂製のプレートである。ケース部材４００は、金型成形された厚さ０．５〜３．０ｍｍ程度の樹脂製部材である。ケース部材４００は、複数の部材を組み付けて構成することも可能であるが、単一の部材からなるものが望ましい。
【００１０】
ケース部材４００は、振動板３００の背面側からこれを保持するように組み付けられるとともに、振動板３００にねじ止めされている。
【００１１】
また、振動板３００及びケース部材４００の正面側には、所定の枠体５００が設けられている。枠体５００は、振動板３００にねじ止めされている。枠体には、透明板５１０及び透明のドア体５２０が設けられている。振動板３００の正面側は、透明板５１０で覆われた部位が時計の時刻表示部１１０となっている。時刻表示部１１０には指針１１１が配置されており、振動板３００の背面要所には指針１１１を駆動するムーブメント１１２が設けられている。また、ドア体５２０で覆われた部位には、振動音発生手段２００の装着部３１０が複数（図例では２箇所）設けられている。ドア体５２０は、枠体５００に対しヒンジにて開閉可能に支持されており、振動音発生手段２００は、ドア体５２０を開いて着脱する構成となっている（図２参照）。
【００１２】
本例の振動音発生手段２００は、小型ケース２１０の内部にオルゴールの櫛歯２２０と、櫛歯２２０と対応する爪が設けられたドラム２３０と、ドラム２３０と噛合するギア２４０を設けてなるユニットである。この振動音発生手段２００は、振動板３００に設けられた装着部３１０に対して小型ケース単位で着脱可能となっている。
【００１３】
装着部３１０は、振動板３００に所定の形状の孔部３１１を設けるとともに、孔部３１１に樹脂製又は金属製のブラケット３１２を設けて構成されている。ブラケット３１２には、モータ３１３と、モータ３１３に従動するギア３１４と、小型ケース２１０を係止する弾性片３１５が設けられている。振動音発生手段２００は、小型ケース２１０がブラケット３１２に嵌装されるとともに弾性片３１５に係止されて装着される。
【００１４】
また、振動音発生手段２００のギア２４０は、その一部が小型ケース２１０から露呈しており、装着部３１０のギア３１４と噛合される。そして、各装着部３１０のモータ３１３が所定のタイミングで駆動することによりドラム２３０が回転し、ドラム２３０の爪が櫛歯２２０を弾く構成となっている。
【００１５】
小型ケース２１０の要所には、所定の開口部２１１が設けられており、開口部２１１は、ギア２４０を露呈するとともに、小型ケース２１０の内部で発生された振動音を外部にもたらす構成となっている。
【００１６】
小型ケース２１０の内部空間は、小型ケース２１０の内部で発生された振動音を共鳴させる小共鳴空間Ａとなっている。更に、振動板３００及びケース部材４００は、振動音の発生に伴い振動し、振動板３００及びケース部材４００にて囲まれた空間は、振動音を共鳴させる共鳴空間Ｂとなっている。ケース部材４００の要所には、共鳴空間Ｂと外部とを連通する開口部４１０が設けられており、振動音は、開口部４１０から外部にもたらされる。共鳴空間Ｂの容積は、小共鳴空間Ａの容積より大きい。また、共鳴空間Ｂには、図示は省略したが、電池ボックスや回路基板等、所要の部材を収納する構成となっている。このような構成によると、有効スペースを十分に活用し、音響効果を確実に高めることができる。特に、小共鳴空間Ａで共鳴した振動音が更に共鳴空間Ｂで共鳴することにより、非常に印象深い音色の発生が可能となっている。
【００１７】
以上説明したように、本例の振動音発生装置は、音響効果に優れ且つ合理的に構成されたものである。尚、本例における各部の構成は、特許請求の範囲に記載した技術的範囲において適宜に設計変更が可能であり、図例説明したものに限定されないことは勿論である。
【００１８】
次に、本発明の第２実施例を図５乃至図７に基づいて説明する。時計機能を設けてなる据置きタイプのオルゴールである。この振動音発生装置１は、振動音の発生源となる振動音発生手段２００と、振動音発生手段２００を装着した振動板３００と、台座板６００と、振動板３００及び台座板６００を装着するケース部材４００とを備えたものである。振動板３００は、いわゆる天板となっている。台座板は、厚さ５．０〜３０．０ｍｍ程度の木製又は樹脂製のプレートであり、その下面には、脚体６１０が設けられている。時刻表示部１１０は、ケース部材４００の正面に設けられている。時刻表示部１１０には指針１１１が配置されており、ケース部材４００の内面要所には指針１１１を駆動するムーブメント（図示はせず）が設けられている。振動発生手段２００及び振動板３００の装着部３１０の基本構成は、前述した実施例と同様である。
【００１９】
振動板３００、台座板６００、及びケース部材４００は、振動音の発生に伴い振動し、振動板３００、台座板６００、及びケース部材４００にて囲まれた空間は、振動音を共鳴させる共鳴空間Ｂとなっている。
【００２０】
本例の場合、ケース部材４００には、共鳴空間Ｂの内部において振動板３００と対向する板状の第１対向部位４０１と、共鳴空間Ｂの内部において台座板６００と対向する板状の第２対向部位４０２とを設け、振動音の発生に伴い第１対向部位４０１及び第２対向部位４０２が振動することにより、当該装置の音響効果が向上する構成となっている。第１対向部位４０１及び第２対向部位４０２は、ケース部材４００と一体に成形されている。ケース部材４００には、このような第１対向部位４０１及び第２対向部位４０２を設けるとよい。
【００２１】
第１対向部位４０１は、天板たる振動板３００に覆われるとともに、第２対向部位４０２は、台座板６００に覆われている。つまり、第１対向部４０１及び第２対向部位４０２は、筐体としての機能のみを考慮すれば不要な部位であが、本例ではそれを積極的に設けることにより、振動音発生装置１特有の効果を奏するものとなっている。
【００２２】
尚、前述した第１実施例は、壁掛けタイプのものであるため、台座板６００はない。但し、振動板３００と対向する第１対向部位４０１を設けることは可能である。第１対向部位４０１を設けることによれば、音響効果が一層向上することは勿論である。
【産業上の利用可能性】
【００２３】
本発明の振動音発生装置は、時計機能を設けてなるオルゴールとして好適に利用することが可能である。
【図面の簡単な説明】
【００２４】
【図１】本発明の実施例に係り、振動音発生装置を示す正面図である。
【図２】本発明の実施例に係り、振動音発生装置を示す側面断面図であり、図１のＸ−Ｘ断面図である。
【図３】本発明の実施例に係り、振動音発生装置を示す側面断面図であり、オルゴールユニットを取り外した状態を示す説明図である。
【図４】本発明の実施例に係り、振動音発生手段を示す側面断面図である。
【図５】本発明の実施例に係り、（ａ）は振動音発生装置を示す正面図であり、（ｂ）は（ａ）の上面図であり、（ｃ）は（ａ）の下面図である。
【図６】本発明の実施例に係り、（ａ）は天板及び台座板を取り外した状態を示す正面図であり、（ｂ）は（ａ）の上面図であり、（ｃ）は（ａ）の下面図である。
【図７】本発明の実施例に係り、振動音発生装置を示す正面断面図であり、図５（ｂ）のｘ−ｘ断面図である。
【符号の説明】
【００２５】
１    振動音発生装置
１１０    時刻表示部
１１１    指針
１１２    ムーブメント
２００    振動音発生手段
２１０    小型ケース
２１１    開口部
２２０    櫛歯
２３０    ドラム
２４０    ギア
３００    振動板
３１０    装着部
３１１    孔部
３１２    ブラケット
３１３    モータ
３１４    ギア
３１５    弾性片
４００    ケース部材
４０１    第１対向部位
４０２    第２対向部位
４１０    開口部
５００    枠体
５１０    透明板
５２０    ドア体
６００    台座板
６１０    脚体
Ａ    小共鳴空間
Ｂ    共鳴空間
【図１】
2007322556.tif 000003
【図２】
2007322556.tif 000004
【図３】
2007322556.tif 000005
【図４】
2007322556.tif 000006
【図５】
2007322556.tif 000007
【図６】
2007322556.tif 000008
【図７】
2007322556.tif 000009